(57)【特許請求の範囲】
【請求項１】
中央の長手方向に延びるハブと、
中央ハブの前記長手方向の少なくとも一部に沿って螺旋を形成する少なくとも２つのコンベヤフライト部分を有し、前記中央ハブから遠位端へ外方に延びているコンベヤフライトであって、前記コンベヤフライト部分の少なくとも１つは他のコンベヤフライト部分に対して偏差しており、かつ該他のコンベヤフライト部分の一部と重なり合っているコンベヤフライトと、
２つの前記コンベヤフライト部分の前記偏差内に配置され、前記コンベヤフライト部分の前記偏差と共に通路を形成しているスペーサ手段と、
洗浄液をコンベヤハブから前記通路に導入する手段とを有する、回転可能なスクリューコンベヤを有するタイプの遠心分離機。
【請求項２】
前記通路は、前記中央ハブから前記コンベヤフライトの遠位端に半径方向に延びている、請求項１に記載のスクリューコンベヤを有する遠心分離機。
【請求項３】
前記通路内に設けられた、前記コンベヤフライトの前記遠位端の半径方向内側の位置で前記洗浄液を前記通路の外に導く手段を有している、請求項１に記載のスクリューコンベヤを有する遠心分離機。
【請求項４】
前記導く手段は、前記通路に連通する２つの前記コンベヤフライト部分の一方に開口部を有している、請求項３に記載のスクリューコンベヤを有する遠心分離機。
【請求項５】
前記導く手段は、前記開口部に隣接した前記通路内に偏向した、２つの前記コンベヤフライト部分の１つと一体的に形成されたタブを有している、請求項４に記載のスクリューコンベヤを有する遠心分離機。
【請求項６】
前記コンベヤフライトは多数の偏差したコンベヤフライト部分と多数のスペーサ手段とを含んでおり、前記コンベヤフライト部分の各々はそれらの間に組み合わせられた前記スペーサ手段を有し、かつ分離通路を形成しており、前記スクリューコンベヤは、各々の分離通路用の対応する導入手段と、前記中央ハブ内に形成された一連の室とを有し、前記室の各々は、各々の分離通路に対応する前記導入手段と連通し、洗浄液を前記導入手段を通して前記通路内に導いている、請求項１に記載のスクリューコンベヤを有する遠心分離機。
【請求項７】
一連の洗浄液送り管を有し、各々の洗浄液送り管は対応する室内に洗浄液を導いている、請求項６に記載のスクリューコンベヤを有する遠心分離機。
【請求項８】
２つの前記コンベヤフライト部分の前記偏差は前記通路の縁を形成しており、前記通路の前記縁はその上に前記コンベヤフライトの前記遠位端の半径方向内側に形成された出口開口を有しており、前記コンベヤハブに隣接する前記通路の前記縁の部分は前記出口開口の半径方向外側の前記通路の前記縁の部分の弧よりも長い弧を形成している、請求項１に記載のスクリューコンベヤを有する遠心分離機。
【請求項９】
前記通路は、前記洗浄液を実質的に前記コンベヤの回転方向に、前記通路の外に導く湾曲面を含む遠位端を有している、請求項１に記載のスクリューコンベヤを有する遠心分離機。
【請求項１０】
前記コンベヤフライトの少なくとも一部の遠位端は、凹形状の湾曲部を有しているすき形部を有し、前記通路は前記すき形部の凹形状面上に洗浄液を導く、請求項１に記載のスクリューコンベヤを有する遠心分離機。
【請求項１１】
前記スペーサ手段と２つの前記コンベヤフライト部分の偏差とによって形成された前記通路は、前記中央ハブから外側に延びている、請求項１に記載のスクリューコンベヤを有する遠心分離機。
【請求項１２】
前記コンベヤフライトは、多数のコンベヤフライト部分の偏差と多数のスペーサ手段とを有し、コンベヤフライト部の各々の偏差はその間に組み合わされたスペーサ手段を有し、かつ分離通路を形成しており、前記コンベヤハブは、各分離通路に対応する導入手段を有しており、少なくとも１つの室が、対応する導入手段に連通している、請求項１に記載の遠心分離機用のスクリューコンベヤ。
【請求項１３】
重相の固体を搬送する螺旋コンベヤフライトを備えたスクリューコンベヤと、該コンベヤを包囲し前記スクリューコンベヤと異なる速度で回転するボウルとを有する、重相の固体材料を混合体内の液体から分離する回転分離機であって、該回転分離機は、
前記螺旋コンベヤフライトを形成する少なくとも２つのコンベヤフライト部分であって、該コンベヤフライト部の１つが他のコンベヤフライト部分から軸方向に偏差しており、かつ該他のコンベヤフライト部分の一部と重なり合っている少なくとも２つのコンベヤフライト部分と、
前記偏差した部分の間を延びているスペーサと、
前記少なくとも２つのコンベヤフライト部分の前記偏差によって形成され、回転中に洗浄液を前記ボウル内に導くようになっている通路手段であって、前記洗浄液を分離した重相の固体に導くと同時に、その導入点で前記重相の固体と前記洗浄液とを混合する通路手段とを有している回転分離機。
【請求項１４】
前記ボウルは無孔性である、請求項１３に記載の分離機。
【請求項１５】
前記スクリューコンベヤは中央ハブを有し、前記螺旋コンベヤフライトは前記中央ハブから遠位端へ外方へ延びており、前記通路手段は中央ハブから前記コンベヤフライトの遠位端に向かって外方に延びている、請求項１３に記載の分離機。
【請求項１６】
前記通路手段内に、前記洗浄液を前記コンベヤフライトの前記遠位端の半径方向内側の位置で前記通路手段の外に導く手段をさらに有している、請求項１５に記載の分離機。
【請求項１７】
中央の長手方向に延びるハブの周りを回転するコンベヤと、前記コンベヤに同軸に取り付けられ、前記コンベヤと異なる速度で回転し、円筒形部分および円錐台部分を有するボウルとを有するデカンタ型遠心分離機において、前記コンベヤは、
中央の長手方向に延びるハブと、
前記ハブの長さの少なくとも一部に沿った中央ハブに沿って螺旋を形成し、前記中央ハブから半径方向外側に前記ボウルの内面に隣接して配置された遠位端に半径方向外側に延び、少なくともその一部分が隣接部分に対して重複しており、隣接部分に対して軸線方向に偏差しているコンベヤフライトと、
前記コンベヤフライトの前記隣接している部分の間の軸線方向の偏差内に配置され、前記偏差を横切って延びているスペーサであって、前記スペーサと前記コンベヤフライトの前記偏差した部分とは通路の複数の面を形成しており、前記通路は前記ハブから前記コンベヤフライトの遠位端に向かって半径方向外側に延びており、前記通路の１つの他の面に沿って前記コンベヤの回転方向に開口している、スペーサと、
コンベヤハブ内に形成されていると共に前記通路に連通しており、洗浄液を前記コンベヤハブから前記通路内に導入するようになっている開口部とを有している、デカンタ型遠心分離機。
【請求項１８】
前記コンベヤフライトの前記偏差した部分の１つは、前記コンベヤフライトの上の前記通路の外に洗浄液を導くように前記通路内に段状に形成されている部分を前記遠位端の半径方向内側に有している、請求項１７に記載のデカンタ型遠心分離機。
【請求項１９】
前記スペーサは、前記コンベヤフライトの遠位端に向かう半径方向の位置に湾曲部分を有し、該湾曲部分は、前記コンベヤフライト上に回転方向に洗浄液を導くようになっている、請求項１７に記載のデカンタ型遠心分離機。
【請求項２０】
中央の長手方向に延びる軸の周りを回転するコンベヤと、前記コンベヤに同軸に取り付けられ、前記コンベヤと異なる速度で回転し、円筒形部分、軽相の排出口、およびボウルの一端にある重相の排出口を有するボウルと、供給液体を前記コンベヤから前記ボウル内に導入する手段とを有するデカンタ型遠心分離機において、前記コンベヤは、
中央の長手方向に延びるハブと、
中央ハブに沿って螺旋を形成しているコンベヤフライトであって、前記コンベヤフライトの少なくとも一部が前記中央ハブから半径方向外側に前記ボウルの内面に隣接して配置された遠位端に半径方向外側に延び、前面及び後面を有し、前記前面は重相の排出口の方に面しており、前記コンベヤフライトの少なくとも一部は前記コンベヤフライトの隣接部分に対して重複し、前記ハブに沿って偏差しており、軸線方向後方のコンベヤフライト部分は、前記ハブに沿って前記重相の排出口の方向に螺旋を形成しているコンベヤフライトと、
隣接するコンベヤフライト部分の間の偏差内に配置され、軸線方向前方のコンベヤフライト部分の後面及び軸線方向後方部分の前面に固定されているスペーサであって、前記スペーサと前記コンベヤフライト部分の前記偏差は、通路の３つの面を形成し、前記通路は、コンベヤハブから前記コンベヤフライトの遠位端に向かって半径方向外側に延びており、前記コンベヤの回転方向に前記通路の他の面に沿って開口しており、導入手段から前記コンベヤフライトの遠位端に向かって半径方向外側に洗浄液を導くようになっているスペーサとを有し、
前記遠位端の半径方向内側の軸線方向前方に偏差しているコンベヤフライト部分のセグメントが、洗浄液を前記通路の外に、かつ前記コンベヤフライトの軸線方向の前方部分に導くように突出している、デカンタ型遠心分離機。
【発明の詳細な説明】
【０００１】
【発明の属する技術分野】
本発明は、液体と固体の分離機に関し、特に、コンベヤを有するタイプの、例えばデカンタ型遠心分離機に関する。さらに詳細には、本発明は、搬送中の分離した固体に洗浄液を流し、乾燥しながら混合する装置を有するコンベヤ構造に関する。
【０００２】
【従来の技術】
本発明は、コンベヤ型の装置を有するタイプの遠心分離機または分離機に適用可能である。コンベヤを有する遠心分離機の最も一般的なタイプは、デカンタ型遠心分離機である。本明細書における説明は、典型的なデカンタ型遠心分離機の固体ボウルの特定の構造に関する。しかしながら、この説明は、現在考慮している本発明の範囲を制限するものではない。
【０００３】
デカンタ型遠心分離機は、典型的には円筒形部分と円錐台部分とを有する回転ボウルから成る。ボウルの回転は、遠心力を生じ、これは液体供給混合体をその成分に分離する。ボウル内に送られた混合体は、円筒形ポンドを形成し、円筒形ポンドは、ボウルの壁の内側に隣接した分離した重い材料のリングまたは層と、重い材料の半径方向内側の軽い材料のリングまたは層とを有する。
【０００４】
用語「重い位相」及び「軽い位相」は、遠心力を加えることによって供給された混合体から分離可能な材料を説明するためにしばしば用いられる。コンベヤを有するデカンタ型遠心分離機において、通常、軽い位相の材料は液体であり、重い位相の材料はある程度の液体を有する固体の混合物である。ボウルに導入される供給された液体混合物またはスラリは、特定の濃度の懸濁された固体または他の不溶性材料を有する。これらの固体は、遠心力によって凝縮され、回転ボウル内に粗い固体、細かい固体及び液体を含む重い位相または混合体を形成する。固体の濃度が変化する度合い並びにボウル内のこれらの固体に作用する遠心力の変化の度合いによって、分離した重い位相の濃度は、ボウルの中で変化する。液体材料から沈殿しない重い材料の濃度も変化する。
【０００５】
デカンタ型遠心分離機において、スクリューコンベヤは、ボウルとわずかに異なる速度でボウルの内側で回転する。スクリューコンベヤのフライトは、ボウルの壁の内側に沿って分離した重い位相をボウルの円錐形の端部に向かって押す。分離した重い位相の排出端部は、円錐形のボウル部分の小さい直径に配置されている。分離した軽い位相の液体は、別の排出口を通って円筒形ポンドから流れることによって排出される。軽い位相の液体の排出ポンドは典型的には重い位相の排出口からボウルの両側に配置されている。
【０００６】
供給された混合体からの重い位相の分離は、ボウルの混合体の残留時間、送り速度、重い位相の固体と軽い位相の液体の特定の重力の差及び重い及び軽い材料を別々に排出する遠心力の能力に関する。デカンタカートリッジの目的は、濃縮された重い位相及び分離された液体を別々に排出することである。重い位相を排出するために、（重い位相から離れた）ビーチに沿って下方に反対方向に作用する遠心力成分に対してボウルの円錐形端部部分、いわゆるビーチの傾斜まで移動しなければならない。
【０００７】
濃縮した重い位相／固体の表面から汚れを洗い流すために、遠心分離機内に洗浄液を誘導するためのある構造が形成されている。例えばシャピリオの米国特許第４，６５４，０２２号は、洗浄液を受けるためにコンベヤフライトの後面に形成された室が限定されている。洗浄液は、室からコンベヤフライト内の複数のオリフィスを通って流れる。さらに、コンベヤハブに隣接したコンベヤフライトの上部に隣接してオーバーフロー通路が設けられている。オーバーフロー通路は、フライトの前方に配置された障壁と協働してフライトの前面に沿って液体を流す。
【０００８】
コワタの米国特許第３，３０２，８７３号は、コンベヤハブからコンベヤフライトを通って半径方向外側に延びる一連の流通路を含むスクリューコンベヤを示している。洗浄液はコンベヤの遠位端に配置されたオリフィスから遠心分離機のボウルに流れ込む。
【０００９】
レデカー等の米国特許第４，４９６，３４０号は、コンベヤハブに隣接したコンベヤフライトの半径方向内面に液体配分通路を有する、遠心分離機内のスクリューコンベヤを示している。洗浄液はコンベヤハブから通路に送られ、オーバーフロー通路または一連の偏向ノズルによってコンベヤの前面に流される。
【００１０】
遠心分離機を適用するある工程において、度々、遠心分離機のビーチ領域のケーキを洗浄する必要がある。これらの工程において、（レデッカの特許か、または上述した米国特許第４，６５４，０２２号によるように）ケーキの上面に洗浄液を流すのではなく、重い位相のケーキの正規の水準内の半径部またはその外側に洗浄液を流すことが望ましい。本発明は、この目的を達成するために少なくともその一部が関連する。
【００１１】
【課題を解決するための手段】
本発明は、中に回転可能なスクリューコンベヤを有するタイプの遠心分離機に関する。スクリューコンベヤは、中央ハブの少なくとも一部に沿って螺旋を形成する一連のコンベヤフランジを有する中央の長手方向に延びるハブを有する。コンベヤフライトは、隣接するコンベヤフライトに対して偏差部を形成するようにコンベヤハブに配置されている。偏差部内にスペーサが配置され、隣接したフライトの偏差部面とともに通路を形成する。ハブから通路に洗浄液を流すため、ハブに開口部が設けられている。
【００１２】
本発明の１つの実施例において、形成された通路はコンベヤの回転方向にその外端で開放されているが、その通路は開放されるか閉鎖されるかいずれかされる。洗浄液は、実質的にコンベヤフライトの長さ全体にわたって通路内に残り、固体が存在しないとき、ボウルの壁に隣接した位置で開放される。通路は、洗浄液がボウルの壁の半径方向内側でコンベヤフライトに流れるように、通路内にステップを有するように変形される。通路内のステップは、偏差部内の前方のコンベヤフライトの一部分によって形成される。ステップ部分は、通路に内側に突出してコンベヤフライトの面に向かう開口部を形成する。
【００１３】
本発明は、ハブの中央軸線に対して種々の半径方向の位置で洗浄液を重い位相に導入する段階を含む。さらに、一連の室が、洗浄液の実際の配分を制御するようにコンベヤハブの中央部分内に設けられている。洗浄液は、この目的を達成するために一連の送り管によって室に送られる。本発明の他の変更例及び変形例が考慮される。
【００１４】
【発明の実施の形態】
以下に本発明の一実施例を図面を参照して詳細に説明する。
【００１５】
図面においては、同じ参照符号は同じ部品を示し、参照符号１０は、本発明によるコンベヤを示している。図１乃至図５に示すスクリューコンベヤ１０は、デカンタタイプの遠心分離機内で一般に使用されるタイプのものである。デカンタ型遠心分離機のボウル構造及び他の典型的な構造は、図５にはその一部を除いて含まれていない。デカンタ型遠心分離機の典型的な特徴を示す目的で、シャピロの米国特許第４，６５４，０２２号を参照する。この米国特許第４，６５４，０２２号は参照されここに組み込まれている。
【００１６】
図１に示すように、スクリューコンベヤ１０は一般に、その中央軸線の周りで回転可能に取り付けられている長手方向に延びるハブ１２を有する。コンベヤ１０は、コンベヤハブ１２の右手から見るとき時計方向に回転するように考慮されている。図示する目的で、回転方向は、図面に矢印１４によって示されている。コンベヤハブ１２から参照番号１６によって一般に示される一連のコンベヤフライトが延びている。一連のコンベヤフライトの各々は、参照番号を１６ａ，１６ｂ，１６ｃ等別々に示す。
【００１７】
一連のコンベヤフライト１６は、中央ハブ１２の少なくとも一部に沿って螺旋を形成し、互いに偏差している。この偏差部は図３に詳細に示されており、参照番号１８によって示されている。しかしながら、偏差フライト１６は、コンベヤ１０の長さの一部のみで見られることに留意すべきである。偏差部１８の数は遠心分離機の設計者の要望と、遠心分離機を適用する用途とに依存する。
【００１８】
隣接するコンベヤフライト１６の間の各偏差部１８内には、スペーサ２０が配置されている。図３に詳細に示すように、スペーサ２０は、フライト１６ｄの前面及びフライト１６ｅの後面に溶接されている。隣接するコンベヤフライト１６ｄ，１６ｅの偏差部１８とスペーサ２０は、コンベヤフライト１６の突出長さに沿って延びておりコンベヤ１０の回転方向１４に開放している通路２２を形成する。
【００１９】
図示したように、通路２２はコンベヤハブ１２から半径方向に延びている。コンベヤ２２の長さは、遠心分離機の設計者によって所望するように変えることができる。通路２２に洗浄液を向けるために、コンベヤハブ１２内に開口部２４が設けられている。もし、通路がさまたげられないままである場合には、通路２２は、開口部２４からコンベヤフライト１６の遠位端に隣接する位置まで洗浄液が流れるであろう。
【００２０】
重い位相／固体材料の動きは、一般にコンベヤの回転方向である。図示したように、ボウル（図５において参照番号３６）は、コンベヤ１０よりも速くコンベヤと同じ方向に回転する。洗浄液が回転するコンベヤに導入されると、加速度は洗浄液をスペーサ２０の内面に沿って、そして通路２２を通って半径方向外側に移動させる。洗浄液が重い位相の固体材料の表面に達すると、一部が固体表面の下に浸透する。洗浄液の浸透は、固体を通って内面まで上昇しながら、固体内での洗浄効果を示す。固体の下に浸透することができない洗浄液は、ほぼコンベヤの回転方向１４と反対の方向に固体の上部を流れる。また、通路２２に形成されたステップとともにコンベヤの回転は、コンベヤフライトの偏差部の各点で混合を生じることが考慮される。通路の周縁部では、洗浄液がボウル壁に直接流れ、次にコンベヤフライトの後縁に向かって洗浄液が流れることを防止するために、阻止部材（図示せず）を有することが好ましいことに留意すべきである。従って、コンベヤ回転方向にある固体に向かって、またコンベヤフライト１６ｄの前面に向かって洗浄液を向けるように偏差部２２を形成することが望ましい。
【００２１】
図１乃至図５に示すように、前方コンベヤフライト１６ｅの一部は、通路２２の内側に向くステップを形成している。図４に詳細に示すように、フライト１６ｅの部分として形成された内側に突出したタブ２６が通路２２に突出し、通路２２内にステップと、出口開口部２８とを形成している。タブ２６は、通路２２を横切って偏向し、コンベヤフライト１６ｄの前面に接触している。
【００２２】
図４に特に示すように、洗浄液は、コンベヤハブ１２から開口部２４を通って通路２２に流れる。洗浄液は、通路２２の接線方向の速度によって加速されながら、通路２２の背後に強制的に流される。タブ２６を使用する構造において、タブ２６によって形成された通路２２のステップは、洗浄液を出口２８を通って通路の外側に流す。洗浄液の偏向は図２においても見ることができる。出口２８の半径方向の位置は、遠心分離機の設計者が望むように変えることができ、別のコンベヤフライトで異なるように設定することができる。
【００２３】
図５において、一連のコンベヤフライト１６によって形成された種々の通路２２に供給液体を流す装置が示されている。図５に示す実施例において、コンベヤハブ１２は、一連の室３０を有する。室の各々は、３０ａ，３０ｂ，３０ｃ，３０ｄ，のような別の参照数字によって指定されている。各室３０には送り管３２が設けられている。図示したように各室３０ａ，３０ｂ，３０ｃ等は、対応する送り管３２ａ，３２ｂ，３２ｃ，３２ｄ等を有する。洗浄液送り管３２は、混合体を分離する遠心分離機に導入するために全体が送り管３４の外側に配置されている。これらの送り管３２，３４は、コンベヤ１０及び遠心分離機ボウル３６の回転に対して静止したままである。
【００２４】
遠心分離機のボウル３６への洗浄液の導入は、送り管３２によって制御することができる。通路２２の出口２８が半径方向の種々の位置に配置されているならば、洗浄液の導入位置は、コンベヤフライト１６の表面で重い位相に対して変化する。さらに、種々の室３０への洗浄液の送り速度を制御することによって、種々の通路２２を通る洗浄液の圧力を変化させることができる。さらに、種々の洗浄液送り管３２を通るように洗浄液を送ることによって洗浄量とその場所を制御することができる。
【００２５】
図６において、本発明の変形例、特に、図２に示すようなコンベヤフライト部分の偏差部の変形例が示されている。この他の実施例において、前方のコンベヤフライト部分１６ｅ′は、出口開口部２８′の半径方向の内側である通路の縁部の部分の延長部１９′を有する。この延長部１９′は、出口開口部２８′の半径方向外側の部分の弧より大きい弧を有する。延長部１９′は、洗浄液がコンベヤハブ１２′の開口部２４′から出口２８′に向かって移動するとき、通路内の液体を捕捉する際の補助となる。
【００２６】
図７において、コンベヤフライト部分の偏差部の通路の他の実施例が示されている。この実施例の通路は図２及び図６で示すような前方コンベヤフライト部分の表面を通って延びている出口開口部では終結せず、通路２２″の遠位端の半径方向外側に湾曲部分２１″が配置されている。この通路２２″内の湾曲部分２１″は、図７に矢印で示すようにコンベヤ１０″の回転方向に前方のコンベヤフライト部分１６ｄ″の表面を横切って前方に洗浄液を流す。図４に示す実施例の傾斜部分２６が弧となる場所で、分離した固体に洗浄液を流すように配置されるように、湾曲部分２１″は半径方向の位置に示されている。湾曲部分２１″は、洗浄液をボウルの壁の外側に移動させる代わりに、ケーキの接線方向に流すようになっている。
【００２７】
図８及び図９において、偏差部を有するコンベヤフライト部分の遠位端に形成されたすき形部を含むコンベヤ１０′′′のさらに他の実施例が示されている。すき形コンベヤフライトの利点は、米国特許第４，４４９，９６７号に説明されている。この特許は、参照されここに組み込まれている。図８に示す実施例において、偏差部１８′′′は、すき部２３′′′の凹形状の湾曲部の領域の重い位相の固体材料に洗浄液を送る。したがって、出口開口部２８′′′は、すき形部２３′′′の半径方向の場所に配置されており、通路２２′′′からの洗浄液の流れを後方のコンベヤフライト部分１６ｄ′′′のすき形部面２３Ａ′′′に向ける。
【００２８】
種々のタイプの遠心分離機及び／または分離機に対する他の適用が考慮される。例えば、有孔ボウルを有する遠心分離機が本発明の利点に組み込むことができる。コンベヤフライト間の通路を通って導入される洗浄液は、排出部に向かって移動するとき、固体を洗浄するように使用することができる。有孔ボウルはビーチの一部のみを形成するか、それに隣接して配置するか、または双方の洗浄液及び分離した液体が有孔ボウルを通って排出されるようにボウル壁全体を包囲してもよい。さらに、通路は、コンベヤの回転方向に一部を閉鎖することができる。これは前方のコンベヤフライトから後方のコンベヤフライトに向かって通路の前方を横切って突出している追加のフランジを有する。図３を参照すると、前方のコンベヤフライト１６ｅから後方のコンベヤフライト１６ｄの面に向かってスペーサ２０に幾分平行に偏差部１８を横切るようにフランジの一部が延びている。コンベヤフランジの偏差部１８へのこのような追加構成は、固体の上面に洗浄液が流れ、さらに固体に流れる能力を制限する。またこれは、各フライト偏差部分で洗浄液を混合する効果を有する。また、コンベヤの突出部の一部の偏差部を完全に閉鎖することができる。また、他の変形例も考慮することができ、それは当業者にとって明白になるであろう。
【００２９】
さらに図面に示す構造の変形例を考慮することが可能である。１つの可能性のある変形例は、非半径方向に形成された通路を有する。図示したように、通路２２，２２′，２２″，２２′′′は、実質的に半径方向にコンベヤハブから延びている。この通路を半径方向の線から偏心することが望ましい。
【００３０】
本発明は、公知の遠心分離機または分離機よりも、所望の洗浄を行うことができるより廉価な構造を提供することを目的としている。また本遠心分離機は、洗浄液の通路を詰まらせる傾向が小さい。さらに本発明は、洗浄液を導入する主な点で固体を混合しながら、固体を移動させる。これは大きな洗浄能力を示し、洗浄水の消費を抑え、固体の純粋性を向上させることができる。
【図面の簡単な説明】
【図１】  本発明の１つの実施例を有するスクリューコンベヤを示す。
【図２】図１の線２−２に沿って切られたスクリューコンベヤの断面図である。
【図３】図２の線３−３に沿って切られた本発明の通路部分の断面図である。
【図４】図２の線４−４に沿って切られたコンベヤの隣接フライトによって形成された通路の他の断面図である。
【図５】中に一連の室を有する中央ハブを含み、デカンタ型遠心分離機のボウルと本発明との関係を示す本発明の一実施例の断面図である。
【図６】本発明の他の実施例の部分断面図である。
【図７】本発明のさらに他の実施例の部分断面図である。
【図８】すき形状のコンベヤフライトを有する、さらに他の実施例を示す斜視図である。
【図９】線９−９に沿って切った図８に示す実施例の断面図である。
【符号の説明】
１０  スクリューコンベヤ
１２  コンベヤハブ
１６  コンベヤフライト
１８  偏差部
２０  スペーサ
２１  湾曲部
２２  通路
２３  くわ形部
２４  開口部
２６  タブ
２８  出口開口部
３０  室
３２，３４  送り管
３６  ボウル
【図１】
0003957336.tif 000002
【図２】
0003957336.tif 000003
【図３】
0003957336.tif 000004
【図４】
0003957336.tif 000005
【図５】
0003957336.tif 000006
【図６】
0003957336.tif 000007
【図７】
0003957336.tif 000008
【図８】
0003957336.tif 000009
【図９】
0003957336.tif 000010